(57)【特許請求の範囲】
【請求項１】
光源ランプと、この光源ランプから放射された光束を揃えて射出するリフレクタと、前記光源ランプおよびリフレクタを、光束射出方向およびこれに直交する方向に位置決めして保持する保持部材とを備える光源装置であって、
前記保持部材は、前記リフレクタの光束射出面側を覆う透明板と、前記リフレクタの光束射出面近傍に形成され、外部から前記光源ランプに冷却空気を導入する複数の通気口とを備え、
前記保持部材の光束射出部分には、該保持部材に対して摺動し、前記複数の通気口を同時に開閉する一体的なシャッタ部材が設けられ、
前記シャッタ部材は、前記光源ランプの照明光軸を軸として回動することを特徴とする光源装置。
【請求項２】
請求項１に記載の光源装置において、
前記シャッタ部材は、リング状に構成され、
前記保持部材の光束射出面には、前記光源ランプの光束射出面を囲むようにリング状に形成され、前記シャッタ部材を回動自在に保持する保持部が設けられていることを特徴とする光源装置。
【請求項３】
請求項２に記載の光源装置において、
前記シャッタ部材には、前記複数の通気口が閉じられた際に、少なくとも複数の通気口のうち、最も下部側に位置する通気口を覆うカバー部が形成されていることを特徴とする光源装置。
【請求項４】
請求項１〜３のいずれかに記載の光源装置において、
前記複数の通気口は、前記保持部材において前記光源ランプの照明光軸を中心とする対称位置に形成されていることを特徴とする光源装置。
【請求項５】
請求項４に記載の光源装置において、
前記複数の通気口は、前記保持部材の上下側に少なくとも１つずつ形成されていることを特徴とする光源装置。
【請求項６】
請求項１〜５のいずれかに記載の光源装置において、
前記シャッタ部材には、レバー部が一体的に構成され、
前記レバー部と前記保持部材の一端との間には、前記レバー部と保持部材とを互いに近接する方向に引き寄せる弾性部材が設けられ、
前記レバー部は、光学機器に該光源装置が取り付けられた際に、前記光学機器の一部によって、前記近接する方向とは反対の方向に付勢されて、前記保持部材に対して該シャッタ部材が一定方向に摺動することを特徴とする光源装置。
【請求項７】
請求項１〜６のいずれかに記載の光源装置を備えることを特徴とするプロジェクタ。
【発明の詳細な説明】
【０００１】
【発明の属する技術分野】
本発明は、光源装置、およびこの光源装置を備えるプロジェクタに関する。
【０００２】
【背景技術】
従来、会議や学会等のプレゼンテーションにプロジェクタが用いられている。このようなプロジェクタは、光源装置の光源ランプから射出された光束を画像情報に応じて変調して光学像を形成し、この光学像を拡大投写している。近年のプロジェクタでは、投写される光学像を鮮明に表示させるために光源ランプの高輝度化が要求されてきている。
【０００３】
ここで、プロジェクタの光源ランプとしては、高圧水銀ランプやメタルハライドランプ等が使用されており、光源ランプの寿命に伴って、石英ガラス等で作られた発光管が破裂して、その破片がプロジェクタ内に飛び散るおそれがある。
また、光源ランプは、その高輝度化に伴って大きな熱を発生するため、この発熱を外部へ排出して冷却することにより、光源ランプの破裂を防止する必要もある。
【０００４】
そこで、光源ランプを含む従来の光源装置には、以下のような機構が設けられている。すなわち、リフレクタの光束射出側をガラス製等の透明板で覆うとともに、リフレクタまたは透明板の一部に吸気口および排気口となる複数の通気口を設けておく。さらに、これらの通気口には、それぞれに対応する蓋部材（シャッタ部材）を設けておき、光学装置がプロジェクタに取り付けられた際に、各蓋部材がそれぞれの通気口を開放し、光学装置がプロジェクタから取り外された際には各蓋部材が対応する通気口を塞いでいる。このような機構により、光源ランプの冷却と、ランプ破裂時の破片の飛散防止とが図られている。
【０００５】
【発明が解決しようとする課題】
しかしながら、前述した光源装置の機構では、各通気口に対応する蓋部材をそれぞれ設けて、各通気口の開閉を行わなければならず、この機構が複雑になるとともに、この機構を構成する部材の点数が増加して、光源装置の製造コストが大きくなるという問題があった。
このような問題は、プロジェクタに用いられる光源装置に限らず、照明装置等のその他の光学機器に用いられる光源装置にも同様に生じていた。
【０００６】
本発明の目的は、光源ランプが破裂した際に、その破片を外部に飛散させることなく、かつ光源ランプを効率的に冷却して光源ランプの長寿命化を図ることができた上で、機構を簡素化し部材点数を減少させて製造コストを抑えることができる光源装置およびこの光源装置を備えるプロジェクタを提供することにある。
【０００７】
【課題を解決するための手段】
本発明に係る光源装置は、光源ランプと、この光源ランプから放射された光束を揃えて射出するリフレクタと、前記光源ランプおよびリフレクタを、光束射出方向およびこれに直交する方向に位置決めして保持する保持部材とを備える光源装置であって、前記保持部材は、前記リフレクタの光束射出面側を覆う透明板と、前記リフレクタの光束射出面近傍に形成され、外部から前記光源ランプに冷却空気を導入する複数の通気口とを備え、前記保持部材の光束射出部分には、該保持部材に対して摺動し、前記複数の通気口を同時に開閉する一体的なシャッタ部材が設けられ、前記シャッタ部材は、前記光源ランプの照明光軸を軸として回動することを特徴とする。
【０００８】
ここで、複数の通気口とは、吸気口および排気口として用いられる開口部のことであり、例えば、保持部材の上下側や左右側に形成された一対の開口部として構成できる。この場合には、リフレクタ内の上下方向または左右方向に冷却空気を流通させることができ、リフレクタ内の光源ランプを効率的に冷却できる。
【００１０】
また、複数の通気口を同時に開閉するシャッタ部材としては、例えば、通気口に対応する位置に略同形状の開口部を形成しておき、シャッタ部材の摺動に伴って、これらの開口部と通気口とが、合致したりずれたりする構成を採用できる。さらには、シャッタ部材に、複数の通気口に対応する蓋部を形成しておき、シャッタ部材の摺動に伴って、蓋部が通気口と合致したりずれたりする構成も採用できる。
【００１１】
さらに、前記保持部材は、光源ランプの照明光軸方向、およびこの照明光軸に直交する方向に光源ランプおよびリフレクタを位置決めする位置決め面が形成されており、例えば、射出成形等による樹脂成形品として成形することにより、光源ランプおよびリフレクタの位置を正確に特定できる。
【００１２】
本発明によれば、リフレクタの光束射出面側を覆う透明板を保持部材に設けた状態で、この保持部材に光源ランプを含むリフレクタを位置決め保持させたので、保持部材に形成された複数の通気口のうちの一方の通気口から他方の通気口へと冷却空気を導いて、リフレクタ内の光源ランプを効率的に冷却でき、光源ランプの長寿命化を図ることができる。
【００１３】
ここで、本発明の光源装置は、光学機器等に取り付けた際に複数の通気口が同時に開放され、光学機器から取り外した際に複数の通気口が同時に塞がれるようにシャッタ部材を構成できる。このような構成において、光源装置を光学機器に取り付けた際には、光源ランプの発光管が破裂して光源装置の交換が必要な場合でも、これらの破片が光源装置の外部、すなわち光学機器等の内部へ飛散することを確実に防止できて、光学機器等を確実に動作できる。また、光学機器等に取り付けた際には、このシャッタ部材が複数の通気口を同時に開放するため、光源ランプの冷却を損なうことがない。
【００１４】
また、シャッタ部材は、一体的に構成された一部材でありながら、複数の通気口の開閉を同時に行うので、例えば、各通気口に対応するシャッタ部材をそれぞれ別体として用意し、これらの両シャッタ部材が摺動して通気口の開閉をそれぞれ行うような複雑な構成を採用する必要がないから、部材点数を減少できるとともに、開閉構造を簡素化できて、光源装置の製造コストを抑えることができる。
【００１５】
さらに、シャッタ部材は、光源ランプの照明光軸を軸として回動するので、シャッタ部材の摺動によって複数の通気口を同時に開閉する際に、シャッタ部材が外部側等へ飛び出すことなく光源装置内で摺動するため、光源装置の小型化を図ることができる。また、この光源装置が収納される光学機器等の収納部分の構造も簡素化できる。
【００１６】
また、前記シャッタ部材は、リング状に構成され、前記保持部材の光束射出面には、前記光源ランプの光束射出面を囲むようにリング状に形成され、前記シャッタ部材を回動自在に保持する保持部が設けられていることが好ましい。
ここで、保持部材としては、例えば、リング状のシャッタ部材を保持する保持部と、光源ランプを含むリフレクタを正しい姿勢で保持する保持部材本体とで構成できる。
なお、保持部の形状としては、断面円形のリング状としてもよいし、この円形の両端縁を切り落としたような断面形状としてもよい。
【００１７】
このような構成では、例えば、リング状のシャッタ部材を、このリング状に対応するリング状の保持部に取り付けるだけで、保持部の曲面に沿ってシャッタ部材を滑らかに回動できる。この際、単純形状の部材でありながら保持部に対してシャッタ部材を確実に回動させることができ、光源装置の製造コストを抑えることができる。
【００１８】
さらに、前記シャッタ部材には、前記複数の通気口が閉じられた際に、少なくとも複数の通気口のうち、最も下部側に位置する通気口を覆うカバー部が形成されていることが好ましい。
このような構成とすれば、万が一シャッタ部材と通気口の隙間から光源ランプの破片がはみ出したとしても、破片が集まる最下部側の通気口をカバー部によって二重に覆ったので、破片の飛散をより一層確実に防止できる。
【００１９】
以上の光源装置において、前記複数の通気口は、前記保持部材において前記光源ランプの照明光軸を中心とする対称位置に形成されていることが好ましい。
このような構成では、照明光軸の対称位置に通気口をそれぞれ形成したので、リフレクタの内部側全体に冷却空気を導入して、リフレクタ内に滞留する熱を確実に外部へと排出でき、光源ランプの冷却効率を高めて、光源ランプの長寿命化をより一層図ることができる。
【００２０】
ここで、前記複数の通気口は、前記保持部材の上下側に少なくとも１つずつ形成されていることが好ましい。
このような構成において、例えば、下側の通気口から冷却空気を導入して、上側の通気口から熱い空気を排出する場合には、温度の高い空気は上方へ流れることから、この熱い空気を光源装置の外部へと確実に排出できる。
逆に、上側の通気口から冷却空気を導入して、下側の通気口から熱い空気を排出する場合には、温度の高い空気がリフレクタ内側の上側に滞留することから、この滞留した熱を迅速に冷却することにより、リフレクタを含む光源装置の長寿命化を図ることができる。
【００２１】
以上のような光源装置において、前記シャッタ部材には、レバー部が一体的に構成され、前記レバー部と前記保持部材の一端との間には、前記レバー部と保持部材とを互いに近接する方向に引き寄せる弾性部材が設けられ、前記レバー部は、光学機器に該光源装置が取り付けられた際に、前記光学機器の一部によって、前記近接する方向とは反対の方向に付勢されて、前記保持部材に対して該シャッタ部材が一定方向に摺動することが好ましい。
【００２２】
ここで、弾性部材としては、ばねやゴム、樹脂等を採用できる。光学機器としては、例えば、液晶プロジェクタやオーバーヘッドプロジェクタを含むプロジェクタや、照明装置等を含む各種の光学機器を採用できる。
このような場合において、光源装置は、光学機器から光源装置が取り外された状態では、レバー部と保持部材とが弾性部材によって引き寄せられて、複数の通気口が同時に閉じ、また、光学機器に光源装置が取り付けられた状態では、レバー部と保持部材とが、光学機器の一部によって引き寄せ方向とは反対の方向に付勢されて、一体的に形成されたシャッタ部材が保持部材に対して摺動して、複数の通気口を同時に開くように構成できる。
このような構成とすれば、シャッタ部材にレバー部を形成して、このレバー部と保持部材の一端とを繋ぐ弾性部材を設けるだけの簡単な構成で、通気口の開閉を確実に、かつ簡単に行うことができる。
【００２３】
本発明に係るプロジェクタは、前述した光源装置を備えることを特徴とする。
本発明によれば、前述した光源装置と略同様の作用・効果を奏することができる。
【００２４】
【発明の実施の形態】
以下、本発明の実施の形態を図面に基づいて説明する。
〔１．プロジェクタの主な構成〕
図１は、本発明に係る光学機器としてのプロジェクタ１を上方から見た斜視図である。図２は、プロジェクタ１を後方から見た斜視図である。図３は、プロジェクタ１を下方から見た斜視図である。
【００２５】
図１〜図３において、プロジェクタ１は、略直方体状の外装ケース２を備えている。
外装ケース２は、プロジェクタ１の本体部分を収納する筐体であり、アッパーケース２１と、ロアーケース２２と、これらのケース２１，２２の前方側を跨るように取り付けられるフロントケース２３とを備えて構成される。各ケース２１〜２３は、それぞれ合成樹脂製である。
【００２６】
アッパーケース２１は、図２に示すように、プロジェクタ１の天面、側面、および背面をそれぞれ構成する上面部２１１、側面部２１２、および背面部２１３を含んで構成される。
上面部２１１の前方側には、操作パネル２５が設けられている。
アッパーケース２１において、操作パネル２５の後方側には、上面部２１１の後方側と背面部２１３とを跨る凹部２１Ａが形成されている。この凹部２１Ａから、外装ケース２に収納された回路基板５の一部が外部に露出している。この外部に露出する回路基板５の一部とは、インターフェース部を構成する各種のコネクタ５Ａである。これらのコネクタ５Ａを介して、プロジェクタ１には、外部機器が接続される。
【００２７】
ロアーケース２２は、図３に示すように、プロジェクタ１の底面、側面、および背面をそれぞれ構成する底面部２２１、側面部２２２、および背面部２２３を含んで構成される。
底面部２２１には、開口部２２１Ｘが形成されている。この矩形状の開口部２２１Ｘには、ランプカバー２４が嵌め込み式で着脱可能に設けられている。さらに、底面部２２１には、外部から冷却空気を吸入するための吸気口２２１Ａ，２２１Ｂが形成されている。
【００２８】
底面部２２１において、後方側の略中央部分には、プロジェクタ１の脚部を構成する後脚２２Ｒが形成されている。また、底面部２２１における前方側の左右の隅部には、同じくプロジェクタ１の脚部を構成する前脚２２Ｆがそれぞれ設けられている。つまり、プロジェクタ１は、後脚２２Ｒおよび２つ前脚２２Ｆにより３点で支持されている。
２つの前脚２２Ｆは、それぞれ上下方向に進退可能に構成されており、プロジェクタ１の前後方向および左右方向の傾き（姿勢）を調整して、投写画像の位置合わせができるようになっている。
【００２９】
図２に示すように、背面部２２３において、コネクタ５Ａの下側となる部分には、リモコン収納部２６が形成されている。このリモコン収納部２６には、プロジェクタ１の遠隔操作を行うためのリモートコントローラ（リモコン）２６Ａが収納される。
また、図２において、背面部２２３におけるリモコン収納部２６の右側には、スピーカ孔２２Ａが形成され、リモコン収納部２６の左側には、インレットコネクタ２２Ｂが設けられている。
【００３０】
フロントケース２３は、図１に示すように、プロジェクタ１の前面、天面、および側面をそれぞれ構成する前面部２３１、天面部２３２、および側面部２３３を含んで構成される。
フロントケース２３には、前面部２３１および天面部２３２を跨ぐ開口部２３Ａが形成されている。この開口部２３Ａに対応するように、外装ケース２内部には、投写レンズ４６が配置されている。この際、開口部２３Ａから投写レンズ４６の一部が外部に露出しており、この露出部分の一部であるレバー４６Ａを介して、投写レンズ４６のズーム操作、フォーカス操作が手動で行えるようになっている。
【００３１】
また、前面部２３１において、前述した開口部２３Ａの反対側の位置には、開口部としての排気口２３Ｂが形成されている。この排気口２３Ｂの内側には、プロジェクタ１内の空気を誘導する排気ダクト６７が設けられており、排気口２３Ｂには、排気ダクト６７の排気口６７Ａが対向している。この排気口２３Ｂには、水平方向に並ぶ複数枚の羽根板２３Ｂ１が形成され、これらの羽根板２３Ｂ１により、排気ダクト６７の排気口６７Ａ等から排出される冷却空気を整流する機能と、内外の光を遮ぎる機能とを備えている。
【００３２】
このような外装ケース２の側面側には、図１に示すように、アッパーケース２１の側面部２１２とロアーケース２２の側面部２２２に跨って吸気口２Ａが形成されている。この吸気口２Ａの内側には、図１〜３では図示しないシロッコファンが設けられている。
【００３３】
ここで、図４は、プロジェクタ１の内部を示す斜視図である。
外装ケース２には、図４に示すように、プロジェクタ１の前方から見て、略中央の前方側に配置された電源ユニット３と、この電源ユニット３の後方から右側にかけて配置された平面視略Ｌ字状の光学ユニット４と、これらのユニット３，４の上方に配置される図示しない前記回路基板とを備える。
【００３４】
電源ユニット３は、電源３１と、この電源３１の下方に配置されたランプ駆動回路（バラスト）３２とを含んで構成される。
電源３１は、前記インレットコネクタに接続された図示しない電源ケーブルを通して、外部から供給された電力をランプ駆動回路３２や前記回路基板等に供給するものである。
ランプ駆動回路３２は、光学ユニット４を構成する図４では図示しない光源ランプに、電源３１から供給された電力を供給するものであり、前記光源ランプと電気的に接続されている。このようなランプ駆動回路３２は、例えば、図示しない基板に配線される。
【００３５】
これらの電源３１およびランプ駆動回路３２は、略平行に上下に並んで配置され、これらの占有空間は、プロジェクタ１の前方で左右方向に延びている。
また、電源３１およびランプ駆動回路３２は、左右側が開口された筒部材３１Ａ，３２Ａによってそれぞれ周囲を覆われている。これらの筒部材３１Ａ，３２Ａは、冷却空気を誘導するダクトとして機能する。また、筒部材３２Ａには、その表面にめっき処理等の金属による加工がなされ、ランプ駆動回路３２からの電磁ノイズの漏れが防止されている。
さらに、電源３１およびランプ駆動回路３２は、矩形の開口部分が形成された金属製の下部シールド部材３３によって覆われており、これらの電源３１およびランプ駆動回路３２からの外部への電磁ノイズの漏れが防止されている。
【００３６】
前記回路基板は、具体的な図示を省略しているが、ＣＰＵ等を含む制御部と、接続端子である各種のコネクタ５Ａ（図２）を含むインターフェース部とが実装された一枚の基板であり、コネクタ５Ａを介して入力された画像情報に応じて、制御部が、光学装置４４を構成する液晶パネルの制御を行っている。
【００３７】
この回路基板は、図４に示す下部シールド部材３３の上部に配置されるとともに、該回路基板の上方には、図示しないが金属製の上部シールド部材が配置される。この上部シールド部材および下部シールド部材３３は、この回路基板を挟んだ状態で互いに固定されている。これにより、電源ユニット３や回路基板等から外部への電磁ノイズの漏れを防止している。
【００３８】
〔２．光学ユニットの詳細な構成〕
ここで、図５は、光学ユニット４を模式的に示した平面図である。
光学ユニット４は、図４，５に示すように、光源装置４１１を構成する光源ランプ４１６から射出された光束を光学的に処理して画像情報に対応した光学像を形成し、この光学像を拡大して投射するユニットであり、インテグレータ照明光学系４１と、色分離光学系４２と、リレー光学系４３と、光学装置４４と、投写光学系としての投写レンズ４６と、これらの光学部品４１〜４６を収納するライトガイド４７とを備える。
【００３９】
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備えている。
【００４０】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
光源ランプ４１６としては、ハロゲンランプを採用している。なお、ハロゲンランプ以外に、メタルハライドランプや高圧水銀ランプ等も採用できる。
リフレクタ４１７としては、放物面鏡を採用している。なお、放物面鏡の代わりに、平行化凹レンズおよび楕円面鏡を組み合わせたものを採用してもよい。なお、光源装置４１１の構造については後で詳説する。
【００４１】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００４２】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００４３】
偏光変換素子４１４は、第２レンズアレイ４１３と重畳レンズ４１５との間に配置されるとともに、第２レンズアレイ４１３と一体でユニット化されている。このような偏光変換素子４１４は、第２レンズアレイ４１３からの光を１種類の偏光光に変換するものであり、これにより、光学装置４４での光の利用効率が高められている。
【００４４】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を全て１種類の偏光光に変換し、光学装置４４での光の利用効率を高めている。
なお、このような偏光変換素子４１４は、たとえば特開平８−３０４７３９号公報に紹介されている。
【００４５】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００４６】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００４７】
この際、色分離光学系４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｂの光入射側に設けられたフィールドレンズ４１８も同様である。
【００４８】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の拡散等による光の利用効率の低下を防止するためである。すなわち、入射側レンズ４３１に入射した部分光束をそのまま、フィールドレンズ４１８に伝えるためである。
【００４９】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００５０】
液晶パネル４４１Ｒ，４４１Ｇ，４４１Ｂは、例えば、ポリシリコンＴＦＴをスイッチング素子として用いたものである。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって、画像情報に応じて変調された光学像を形成する。
【００５１】
入射側偏光板４４２は、色分離光学系４２で分離された各色光のうち、一定方向の偏光光のみ透過させ、その他の光束を吸収するものであり、サファイヤガラス等の基板に偏光膜が貼付されたものである。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。
これらの入射側偏光板４４２および射出側偏光板４４３は、互いの偏光軸の方向が直交するように設定されている。
【００５２】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００５３】
以上説明した液晶パネル４４１、射出側偏光板４４３およびクロスダイクロイックプリズム４４４は、一体的にユニット化された光学装置本体４５として構成されている。なお、入射側偏光板４４２は、ライトガイド４７に形成された図示しない溝部にスライド式に嵌め込んで取り付けられる。
【００５４】
図６は、光学装置本体４５を示す斜視図である。
光学装置本体４５は、図６に示すように、クロスダイクロイックプリズム４４４と、このクロスダイクロイックプリズム４４４を下方から支持する金属製の台座４５１と、クロスダイクロイックプリズム４４４の光束入射端面に取り付けられ、射出側偏光板４４３を保持する金属製の保持板４５２と、この保持板４５２の光束入射側に取り付けられた４つのピン部材４５３によって保持される液晶パネル４４１（４４１Ｒ，４４１Ｇ，４４１Ｂ）とを備えている。保持板４５２と液晶パネル４４１との間には、所定間隔の空隙が設けられており、この空隙部分を冷却空気が流れるようになっている。
投写レンズ４６は、図４に示すように、光学装置４４のクロスダイクロイックプリズム４４４で合成されたカラー画像を拡大して投写するものである。
【００５５】
以上説明した各光学系４１〜４４は、図４に示すように、光学部品用筐体としての合成樹脂製のライトガイド４７内に収容されている。
ライトガイド４７は、図４において内部側の具体的な図示を省略するが、図５に示す各光学部品４１２〜４１５，４１８，４２１〜４２３，４３１〜４３４，４４２を上方からスライド式に嵌め込む溝部が形成された下ライトガイド４７１と、下ライトガイド４７１の上部の開口側を閉塞する蓋状の上ライトガイド４７２とを備えて構成される。
また、図４において、平面視略Ｌ字状のライトガイド４７の一端側には、光源装置４１１が収容され、他端側には、ヘッド部４９を介して投写レンズ４６がねじ止め固定されている。
【００５６】
〔３．冷却構造〕
ここで、プロジェクタ１には、前記液晶パネル４４１を主に冷却するパネル冷却系Ａと、前記電源ユニット３を主に冷却する電源冷却系Ｃとが設けられている。
ここで、図７は、図４に対して、冷却空気の流れる方向を示す矢印を追加して記載した図であり、電源冷却系Ｃを含むプロジェクタ１内の冷却空気の流れを示す図である。図８は、光学装置４４の下側の構造を模式的に示す斜視図であり、パネル冷却系Ａを説明するための図である。
【００５７】
図７において、パネル冷却系Ａでは、投写レンズ４６の右側に配置された２つのシロッコファン６１，６２が用いられている。また、図８に示すように、パネル冷却系Ａでは、これらのファン６１，６２にそれぞれ接続されるダクト６３，６４が用いられている。
図８に示すように、シロッコファン６１，６２は、外装ケース２側面の吸気口２Ａから外部の冷却空気を吸入して、この吸引した冷却空気をダクト６３，６４にそれぞれ排出するものである。なお、シロッコファン６２は、シロッコファン６１よりも大型のものが採用されている。
【００５８】
ダクト６３は、シロッコファン６１から排出された冷却空気を光学装置４４の下方まで誘導するものであり、緑色光用の液晶パネル４４１Ｇの下方に対応する位置には、矩形の開口部６３Ａが形成されている。
また、ダクト６４は、シロッコファン６２から排出された冷却空気を光学装置４４の下方まで誘導するものであり、赤色光用および青色光用の液晶パネル４４１Ｒ，４４１Ｂの下方に対応する位置には、矩形の開口部６４Ａ，６４Ｂがそれぞれ形成されている。
ここで、図示を省略するが、前記下ライトガイドの底面において、開口部６３Ａ，６４Ａ，６４Ｂに対応する位置には、開口部が形成されている。
【００５９】
従って、図８に示すように、パネル冷却系Ａにおいて、シロッコファン６１，６２によって吸引された冷却空気は、各液晶パネル４４１Ｒ，４４１Ｇ，４４１Ｂに加えて、図８では図示しない前記入射側偏光板および前記射出側偏光板も冷却するように流れることになる。
図７において、このように液晶パネル４４１Ｒ，４４１Ｇ，４４１Ｂを下方から上方に向けて冷却した冷却空気は、図示しない回路基板の下面を冷却しながら、前方から見て左側の軸流ファン６６側に引き寄せられ、図示しない前記外装ケース前面の排気口から排出される。
【００６０】
図７において、電源冷却系Ｃでは、電源ユニット３の右側に設けられた軸流ファン６８が用いられている。
軸流ファン６８によって、ロアーケース２２の底面部２２１に形成された吸気口２２１Ｂから吸引された冷却空気は、電源３１およびランプ駆動回路３２を冷却しながら、筒部材３１Ａ，３２Ａに沿って前方から見て右側から左側へと流れた後、そのほとんどが他の冷却系統Ａ，Ｂと同様に、軸流ファン６６によって引き寄せらた後に、排気ダクト６７を介して、図示しない外装ケース前面の排気口から排出される。なお、一部の空気は、軸流ファン６６に引き寄せられずに、直接、前記外装ケースの排気口から排出される。
【００６１】
〔４．光源装置の構造〕
次に、光源装置４１１の構造について説明する。
図９は、光源装置４１１を示す斜視図であり、図１０は、この光源装置４１１を示す分解斜視図である。図１１，１２は、光源装置４１１を示す縦断面図である。図１３は、ライトガイド４７に光源装置４１１が取り付けられた様子を示す部分斜視図である。図１４は、ライトガイド４７に取り付けられた光源装置４１１を示す縦断面図である。
【００６２】
光源装置４１１は、図９に示すように、前述した光源ランプ４１６およびリフレクタ４１７と、これらの光源ランプ４１６およびリフレクタ４１７が取り付けられる保持部材５００と、この保持部材５００の光束射出側に取り付けられるリング状のシャッタ部材６００と、保持部材５００の一部およびシャッタ部材６００の一部を繋ぐ弾性部材としてのばね７００とを備える。
【００６３】
保持部材５００は、図１０に示すように、光源ランプ４１６を含むリフレクタ４１７およびシャッタ部材６００を所定位置に保持する合成樹脂製の部材であり、内部が空洞の略直方体状の筐体５１０と、この筐体５１０の光束射出面から突出して形成されたリング状の保持部５２０と、このリング状の保持部５２０の光束射出面に、はめ込み式に取り付けられるガラス製の透明板５３０とを備える。
【００６４】
筐体５１０は、上面部５１１と、下面部５１２と、左右の側面部５１３，５１４と、前面部５１５とを備え、略直方体状に構成されている。ただし、筐体５１０の後面部分は、リフレクタ４１７を取り付けるために開口されている。
また、筐体５１０は、光源ランプ４１６を含むリフレクタ４１７の先端部分が、光束射出方向としての前面部５１５の内面、およびこの内面に直交する方向としての左側の側面部５１３の内面に当接され、光源ランプ４１６を含むリフレクタ４１７を位置決めして保持する部材である。
【００６５】
上面部５１１および下面部５１２には、図１１に示すように、ライトガイド４７の内側に形成された図示しない凹部と係合する突起５１１Ａ，５１２Ａが形成されている。
また、図１１に示すように、前面部５１５には、略矩形状の開口部５１５Ａが形成されている。光源ランプ４１６を含むリフレクタ４１７が筐体５１０に取り付けられると、図１０に示すように、光源ランプ４１６は開口部５１５Ａから光束射出側へ突出することになる。
さらに、図１０において、前面部５１５の左上端部には、左側面部５１３の外側へ延びる取り付け部５１５Ｂが設けられている。この取り付け部５１５Ｂには、ばね７００の一端を取り付けるための孔５１５Ｃが形成されている。
【００６６】
保持部５２０は、筐体５１０の光束射出面に形成され、光源ランプ４１６の光束射出面を囲むとともに、シャッタ部材６００を、光源ランプ４１６の照明光軸を中心として回動自在に保持するものである。
また、保持部５２０は、光源ランプ４１６の突出寸法よりも大きな寸法で光束射出側へ突出して構成され、光源ランプ４１６と透明板５３０との接触を防止している。
【００６７】
保持部５２０は、断面が、略円形の左右側を垂直方向に切り落としたような形状で、かつ光源ランプ４１６が筐体５１０の開口部５１５Ａから突出する寸法よりも大きな寸法で突出する部材であり、上方へ突出する曲面状の上面部５２１と、下方へ突出する曲面状の下面部５２２と、左右の側面部５２３とを備える。
【００６８】
上面部５２１には、通気口である矩形状の排気口５２１Ａが形成されている。なお、図示を省略しているが、この排気口５２１Ａには、エアフィルタが設けられている。また、下面部５２２には、通気口である矩形状の吸気口５２２Ａが形成されている。図示を省略しているが、排気口５２１Ａと同様に、吸気口５２２Ａにもエアフィルタが設けられている。
これらのエアフィルタにより、リフレクタ４１７内への外部からの塵埃の侵入と、万が一光源ランプ４１６が破裂した際の外部への破片の漏れとが防止されている。
これらの吸気口５２２Ａおよび排気口５２１Ａは、光源ランプ４１６の照明光軸を中心とする対称位置に形成されている。
【００６９】
シャッタ部材６００は、図１０，１１に示すように、光源ランプ４１６の照明光軸を中心軸として、保持部材５００を構成する保持部５２０に対して回動して、吸気口５２２Ａおよび排気口５２１Ａを同時に開閉するように一体的に構成されている。
シャッタ部材６００は、保持部５２０の突出寸法と略同じ幅寸法を有するリング状のシャッタ本体６１０と、このシャッタ本体６１０の前面と直交し、この前面からシャッタ本体６１０の外側へと延びるように形成されたカバー部６２０と、このシャッタ本体６１０の外周部分から外側へ突出して形成されたレバー部６３０とを備える。
【００７０】
シャッタ本体６１０は、リング状の保持部５２０に対応するリング状に形成され、保持部５２０に取り付けられて回動する部分であり、保持部５２０に形成された吸気口５２２Ａおよび排気口５２１Ａに対応する開口部６１０Ａ，６１０Ｂがそれぞれ所定位置に形成されている。
これらの開口部６１０Ａ，６１０Ｂは、図１１に示すように、シャッタ本体６１０が保持部５２０に取り付けられた際に、光源ランプ４１６の照明光軸を中心とする対称位置となるように形成されている。
【００７１】
カバー部６２０は、図１０に示すように、吸気口５２２Ａおよび排気口５２１Ａが閉じられた際に、最下部側の通気口としての吸気口５２２Ａを覆うものである。このカバー部６２０は、シャッタ本体６１０が保持部５２０に取り付けられると、透明板５３０と略平行となり、仮に、光源ランプ４１６が破損した場合でも、この破片が光束射出側へ飛散しないようになっている。
【００７２】
レバー部６３０は、プロジェクタ１のライトガイド４７に光源装置４１１が取り付けられた際に、このライトガイド４７の一部によって下方へと付勢される略矩形板状の部分であり、このように付勢されると、保持部５２０に対してシャッタ部材６００が回動するようになっている。また、この付勢が解除された場合には、付勢方向と反対の方向へシャッタ部材６００が回動する。
このレバー部６３０には、ばね７００の他端を取り付けるための孔６３０Ａが形成されている。
【００７３】
ばね７００は、その両端がレバー部６３０の孔６３０Ａと、取り付け部５１５Ｂに形成された孔５１５Ｃとに取り付けられ、その収縮力によって、レバー部６３０と取り付け部５１５Ｂとを、互いに近接する方向へと引き寄せるものである。
【００７４】
なお、ライトガイド４７内に光源装置４１１が収納されていない場合には、図１２に示すように、ばね７００の収縮により、図１１の状態からシャッタ部材６００が矢印Ａの方向に回動している。
【００７５】
次に、シャッタ部材６００の回動による、吸気口５２２Ａおよび排気口５２１Ａの開閉機構について説明する。
ここで、ライトガイド４７内に光源装置４１１が収納されていない場合には、図１２に示すように、ばね７００の収縮により、図１１の状態からシャッタ部材６００が矢印Ａの方向に回動したような状態となる。
【００７６】
図１２に示すように、保持部５２０にシャッタ本体６１０が取り付けられた状態では、ばね７００の収縮力によってレバー部６３０と取り付け部５１５Ｂとが近接し、吸気口５２２Ａおよび排気口５２１Ａの位置と、開口部６１０Ａ，６１０Ｂの位置とがずれて、吸気口５２２Ａおよび排気口５２１Ａが同時に塞がれる。このようにして光源装置４１１が構成される。
【００７７】
図１３，１４に示すように、このようにして構成された光源装置４１１がライトガイド４７の下部側に形成された開口から収納されると、ライトガイド４７の一部である突起４７Ｘがシャッタ部材６００のレバー部６３０と当接して、突起４７Ｘがレバー部６３０を下方へ、すなわち、ばね７００が伸びる方向へ付勢し、シャッタ部材６００が図１４中の反時計回りに回動する。
図１４に示すように、このようにシャッタ部材６００が回動すると、吸気口５２２Ａおよび排気口５２１Ａの位置と、開口部６１０Ａ，６１０Ｂの位置とが合致し、吸気口５２２Ａおよび排気口５２１Ａが同時に開放される。
【００７８】
ここで、光源装置４１１をライトガイド４７から取り外すと、ライトガイド４７の突起４７Ｘとレバー部６３０との当接が解除されて、ばね７００が収縮して、シャッタ部材６００が図１４中の時計回りに回動する。
このようにシャッタ部材６００が図１４中の時計回りに回動すると、吸気口５２２Ａおよび排気口５２１Ａの位置と、開口部６１０Ａ，６１０Ｂの位置とがずれた、図１２に示す状態となり、吸気口５２２Ａおよび排気口５２１Ａが同時に塞がれる。
【００７９】
次に、このような光源装置４１１を冷却する光源冷却系Ｂについて説明する。図７において、光源冷却系Ｂでは、電源ユニット３の下側に設けられた図示しないシロッコファンと、軸流ファン６６と、この軸流ファン６６に取り付けられた排気ダクト６７とが用いられている。
【００８０】
前記シロッコファンによって、ロアーケース２２の吸気口２２１Ａ（図３）から吸引された冷却空気は、ロアーケース２２の底面部２２１内側に形成された図示しないガイドに沿って流れた後、図１４に示すように、吸気口５２２Ａから光源装置４１１内に入り込んで光源ランプ４１６を冷却し、排気口５２１Ａから光源装置４１１の外へと出ていく。その後、光源装置４１１から出た冷却空気は、図７に示すように、パネル冷却系Ａと同様に、軸流ファン６６によって引き寄せられ、排気ダクト６７を介して、図示しない外装ケース前面の排気口から排出される。
【００８１】
〔５．実施形態の効果〕
本実施形態によれば、以下のような効果がある。
(１)保持部５２０に設けられた透明板５３０とリフレクタ４１７とによって囲まれた空間に対して、冷却空気を流通させる吸気口５２２Ａおよび排気口５２１Ａを保持部５２０に構成したので、吸気口５２２Ａから排気口５２１Ａへと外部の冷却空気を導いて、リフレクタ４１７内の光源ランプ４１６を効率的に冷却でき、光源ランプ４１６の長寿命化を図ることができる。
【００８２】
(２)光源装置４１１がライトガイド４７から取り外された状態では、ばね７００の収縮力により、レバー部６３０と取り付け部５１５Ｂとが近接して、吸気口５２２Ａおよび排気口５２１Ａを同時に閉じることができる。
このため、万が一、光源ランプ４１６の発光管が破裂して光源装置４１１の交換が必要となった場合でも、ライトガイド４７から光源装置４１１を取り外す際に、シャッタ部材６００が吸気口５２２Ａおよび排気口５２１Ａを塞ぐため、これらの破片が光源装置４１１の外部、すなわちプロジェクタ１の内部へ飛散することを確実に防止できて、プロジェクタ１を確実に動作できる。
【００８３】
(３)光源装置４１１がライトガイド４７に取り付けられた状態では、レバー部６３０とライトガイド４７の突起４７Ｘとの当接により、ばね７００が延伸して、保持部５２０に対してシャッタ部材６００が回動し、吸気口５２２Ａおよび排気口５２１Ａを同時に開放できる。このため、光源装置４１１をライトガイド４７に収納して、プロジェクタ１の光源として使用する際に、光源ランプ４１６に確実に冷却空気を送って、光源ランプ４１６を確実に冷却できる。
【００８４】
(４)以上のように、シャッタ部材６００を、吸気口５２２Ａおよび排気口５２１Ａの開閉を同時に行う一体的構成の部材としたので、吸気口５２２Ａおよび排気口５２１Ａに対応してシャッタ部材をそれぞれの側に設ける場合に比べて、シャッタ部材の構成部材点数を減少できて、シャッタ部材による開閉の構造を簡素化でき、光源装置４１１の製造コストを抑えることができる。
【００８５】
(５)筐体５１０の内面や左側の側面部５１３で光源ランプ４１６を含むリフレクタ４１７を所定位置に位置決めするように構成したので、射出成形によって筐体を成形することにより、光源ランプ４１６の照明光軸の位置を安定させることができる。さらに、このような構成の光源装置４１１をプロジェクタ１に採用したので、プロジェクタ１は、安定した高品質な画像を投写できる。
【００８６】
(６)シャッタ部材６００をリング状とし、このリング状のシャッタ部材６００に対応するリング状の保持部５２０を設けて光源装置４１１を構成したので、保持部５２０にシャッタ部材６００を取り付けるだけで、これらのリング状の曲面に沿ってシャッタ部材６００を滑らかに回動できる。このようなリング状という簡単な形状でありながら、シャッタ部材６００を確実に回動させることができ、光源装置４１１の製造コストを抑えることができる。
【００８７】
(７)シャッタ部材６００には、吸気口５２２Ａおよび排気口５２１Ａが閉じられた際に、光源装置４１１の下側に位置する吸気口５２２Ａを覆うカバー部６２０を形成したので、万が一光源ランプ４１６が破裂して、シャッタ部材６００と吸気口５２２Ａとの隙間から光源ランプ４１６の破片がはみ出たとしても、これらの破片が集まる下側の吸気口５２２Ａをカバー部６２０によって二重に覆ったので、これらの破片の飛散をより一層確実に防止できる。
【００８８】
(８)吸気口５２２Ａおよび排気口５２１Ａを、光源ランプ４１６の照明光軸を中心とする対称位置に形成したので、リフレクタ４１７内全体に冷却空気を導入して、リフレクタ４１７内に滞留する熱を確実に外部へと排出でき、光源ランプ４１６の冷却効率をさらに高めて、光源ランプ４１６の長寿命化をより一層図ることができる。
【００８９】
(９)保持部５２０において、下側に吸気口５２２Ａを形成し、上側に排気口５２１Ａを形成したので、光源ランプ４１６によって熱せられた空気が上方へ流れることから、この熱風を光源装置４１１の外部へと確実に排出できる。
【００９０】
(10)ばね７００によって、シャッタ部材６００のレバー部６３０と保持部５２０に設けられた取り付け部５１５Ｂとを接続して、保持部５２０に対してシャッタ部材６００が回動する簡単な構成で、吸気口５２２Ａおよび排気口５２１Ａの同時開閉を確実にかつ簡単に行うことができる。
【００９１】
〔６．実施形態の変形〕
なお、本発明は、前記実施形態に限定されるものではなく、本発明の目的を達成できる他の構成等を含み、以下に示すような変形等も本発明に含まれる。
例えば、前記実施形態において、保持部５２０には、下側に吸気口５２２Ａを１つ形成し、上側に排気口５２１Ａを１つ形成し、これらの吸気口５２２Ａおよび排気口５２１Ａが光源ランプ４１６の照明光軸を中心とした対称位置に構成したが、これとは逆に、上側に吸気口５２２Ａを形成し下側に排気口５２１Ａを形成してもよい。
また、吸気口５２２Ａおよび排気口５２１Ａは、保持部５２０の各側において、それぞれ２つ以上形成してもよい。
さらに、吸気口５２２Ａおよび排気口５２１Ａは、照明光軸を中心とした対称位置ではない位置に構成してもよい。
また、吸気口５２２Ａおよび排気口５２１Ａは、例えば、保持部５２０の左右側等の上下側以外の位置に形成してもよい。
要するに、吸気口５２２Ａおよび排気口５２１Ａにおいて、保持部５２０における位置、互いの相対位置、形状、数等は特に限定されないということである。なお、これらの吸気口５２２Ａおよび排気口５２１Ａは、保持部５２０ではなく、リフレクタ４１７に形成してもよいし、透明板５３０の一部を切り欠いて構成してもよい。
【００９３】
前記実施形態において、シャッタ部材６００をリング状としたが、これに限らず、摺動する方向にあわせて、矩形状等のその他の形状としもよく、滑らかに摺動できれば、特にその形状は限定されない。
【００９４】
前記各実施形態において、３つの光変調装置を用いたプロジェクタを採用したが、これに限らず、例えば、１つの光変調装置のみを用いたプロジェクタ、２つの光変調装置を用いたプロジェクタ、あるいは、４つ以上の光変調装置を用いたプロジェクタであってもよい。
【００９５】
前記各実施形態において、光変調装置として液晶パネルを採用したが、これに限らず、例えば、マイクロミラーを用いたデバイス等の液晶以外の光変調装置を採用してもよい。さらに、前記実施形態では、透過型の光変調装置を用いたが、反射型の光変調装置を用いてもよい。
【００９６】
前各記実施形態では、スクリーンを観察する方向から投写を行なうフロントタイプのプロジェクタとしたが、スクリーンの観察方向の後ろ側から投写を行なうリアタイプのプロジェクタにも適用可能である。
その他、本発明の実施時の具体的な構造および形状等は、本発明の目的を達成できる範囲で他の構造等としてもよい。
【００９７】
【発明の効果】
本発明によれば、光源ランプが破裂した際に、その破片を外部に飛散させることなく、光源ランプを効率的に冷却して光源ランプの長寿命化を図ることができるとともに、機構を簡素化して部材点数を減少できて製造コストを抑えることができるいう効果がある。
【図面の簡単な説明】
【図１】本発明に係るプロジェクタを上方から見た斜視図である。
【図２】前記プロジェクタを後方から見た斜視図である。
【図３】前記プロジェクタを下方から見た斜視図である。
【図４】前記プロジェクタの内部を示す斜視図であり、具体的には、図１の状態から前記プロジェクタを構成するフロントケース、上部シールド部材、回路基板を外した図である。
【図５】前記プロジェクタを構成する光学ユニットを模式的に示す平面図である。
【図６】前記光学ユニットを構成する光学装置の一部である光学装置本体を示す斜視図である。
【図７】図４に対して、冷却空気の流れる方向を示す矢印を追加して記載した図であり、電源冷却系を含む前記プロジェクタ内の冷却空気の流れを示す図である。
【図８】前記プロジェクタにおいて、前記光学装置の下側の構造を模式的に示す斜視図であり、パネル冷却系を説明するための図である。
【図９】前記プロジェクタを構成する光源装置を示す斜視図である。
【図１０】前記光源装置を示す分解斜視図である。
【図１１】前記光源装置を示す縦断面図である。
【図１２】前記光源装置を示す縦断面図である。
【図１３】前記プロジェクタを構成するライトガイドに前記光源装置が取り付けられた様子を示す部分斜視図である。
【図１４】前記ライトガイドに前記光源装置が取り付けられた様子を示す縦断面図である。
【符号の説明】
１  光学機器としてのプロジェクタ
４７  ライトガイド
４７Ｘ  突起
４１１  光源装置
４１６  光源ランプ
４１７  リフレクタ
５００  保持部材
５１０  筐体
５１５Ｂ  保持部材の一端である取り付け部
５２０  保持部
５２１Ａ  複数の通気口を構成する排気口
５２２Ａ  複数の通気口を構成する吸気口
５３０  透明板
６００  リング状のシャッタ部材
６１０Ａ，６１０Ｂ  複数の通気口を構成する開口部
６２０  カバー部
６３０  レバー部
７００  弾性部材としてのばね
Ｂ  光源冷却系
【図１】
0004055420.tif 000002
【図２】
0004055420.tif 000003
【図３】
0004055420.tif 000004
【図４】
0004055420.tif 000005
【図５】
0004055420.tif 000006
【図６】
0004055420.tif 000007
【図７】
0004055420.tif 000008
【図８】
0004055420.tif 000009
【図９】
0004055420.tif 000010
【図１０】
0004055420.tif 000011
【図１１】
0004055420.tif 000012
【図１２】
0004055420.tif 000013
【図１３】
0004055420.tif 000014
【図１４】
0004055420.tif 000015